(57)【要約】【課題】本発明は、自分の浮力でゆらゆらと漂う人工海藻を用いて、簡単な装置で、海底地盤上に人工藻場を造成することのできる人工藻場育成装置を提供し、それらを用いて天然藻場に近い環境を形成し、魚類の生息場所を確保するとともに、天然藻場への回復を促そうとするものである。【解決手段】  沿岸海域に人工藻場を造成して失われた天然藻場を再生するための人工藻場育成装置であって、該人工藻場育成装置を海底地盤上に固定するアンカー杭と、同アンカー杭の上端部に装着され人工海藻を取り付ける人工海藻取付部と、人工海藻取付部に取り付けられた複数の人工海藻とからなる人工藻場育成装置による。【選択図】  図１
2011135828.tif 000002
【特許請求の範囲】
【請求項１】
沿岸海域に人工藻場を造成して失われた天然藻場を再生するための人工藻場育成装置（１）であって、該人工藻場育成装置（１）を海底地盤上に固定するアンカー杭（２）と、同アンカー杭（２）の上端部に装着され人工海藻（４）を取り付ける腕部（３ａ）を有する人工海藻取付部（３）と、人工海藻取付部（３）に取り付けられた複数の人工海藻とからなることを特徴とする人工藻場育成装置。
【請求項２】
前記人工海藻取付部（３）が、人工海藻を取り付ける樹脂製の棒状体の腕部（３ａ）と、同腕部（３ａ）の中央部に前記アンカー杭（２）に装着するための樹脂パイプ製のアンカー杭装着部（３ｂ）が一体化されて設けられ、Ｔ字形状に形成されてなることを特徴とする請求項１に記載の人工藻場育成装置。
【請求項３】
前記人工海藻装着部（３）が、樹脂製の第１棒状体の両端に樹脂製の第２の棒状体を直交させてＨ字形に形成された腕部（３ａ’）と、前記第１の棒状体の中央部に前記アンカー杭（２）に装着する樹脂パイプ製のアンカー杭装着部（３ｂ）とが一体化されて設けられてなることを特徴とする請求項１に記載の人工藻場育成装置。
【請求項４】
前記人工海藻装着部（３）が、その腕部（３ａ、３ａ’）の上面に、人工海藻（４）を着脱自在に取り付けられる複数のアイボルト（５）を、また前記アンカー杭装着部（３ｂ）のパイプ内壁に前記アンカー杭（２）に螺着するための雌ねじを設けてなることを特徴とする請求項１〜３のいずれか１項に記載の人工藻場育成政装置。
【請求項５】
前記アンカー杭（２）が、１６００ｍｍ〜２２００ｍｍの異形鉄筋でなり、上端から５０ｍｍ〜８０ｍｍの範囲に前記人工海藻取付部（３）を螺着する雄ねじが設けられてなることを特徴とする請求項１〜４のいずれか１項に記載の人工藻場育成装置。
【請求項６】
前記人工海藻（４）が、その形状が細長い帯状体であり、その素材が比重が海水と同じか又は小さいプラスチックシート、布、メッシュ材、あるいは縄で構成され、海中において素材の浮力で自立するものであることを特徴とする請求項１〜５のいずれか１項に記載の人工藻場育成装置。
【請求項７】
請求項１〜６に記載の人工藻場育成成装置（１）の多数個を海底地盤上に固定して造成してなることを特徴とする人工藻場。
【発明の詳細な説明】
【技術分野】
【０００１】
本発明は、埋め立てや山林の開発による土砂の流入等によって失われた沿岸の天然藻場を再生するために設置する人工藻場育成装置及びそれらを用いた人工藻場に関する。
【背景技術】
【０００２】
沿岸地域の開発に伴う埋め立てや山林の開発に伴う大量の土砂流入などによって、豊かな漁場であった近海の天然藻場が減少してきており、沿岸漁業における漁獲量の減少が顕著になってきている。
そこで、海藻の育成や魚類の産卵を促すための人工藻場が考案され、この人工藻場を形成する藻場材としての人工海草や藻場装置の発明がいくつかなされている。
例えば特開２００３−２６５０６４号公報には「主材料にポリオレフィン樹脂の発泡体を用い、この発泡樹脂に炭素粉末を添加し、人工藻場材をシート状に形成する。人工藻場材を適宜の大きさに裁断し、コンブ状の浮遊体を形成する。浮遊体をウエイトに結合し、ベースを海洋、湖沼又は河川の水底に設置する。浮遊体は自身の浮力で水中をゆらゆらと漂い、生物に好適な生息場所を提供する。また、主材料に生分解性樹脂の発泡体を用い、この発泡樹脂に炭素粉末を添加し、藻場材をシート状に成型する」とした人工藻場材が開示されている。
そしてこの人工藻場材は、多数のウエイトをロープで連結してネット状に形成されたベースの各ウエイトに人工海藻である浮遊体の下端が結合されて海洋、湖沼又は河川の水底に設置されるが、この設置方法では比較的平坦な水底においては効率よく人工藻材が均等に配置された人工藻場を造成できる反面、魚類の生息に適した岩礁等凹凸の多い海底に設置すると場所によって人工藻場材の粗密や高低差が生じることになる。
【０００３】
また、特開２００２−３１５４５８号公報には「海水中に設置して天然海草・海藻を育成するための海藻・微生物付着基盤において、人工の海藻（Ａ）が中空部（１５）を有する可撓性管状体（１）で構成され、その管状体（１）の外周（１０）管軸方向に適宜な間隔を海中生物の付着に優れた繊維製品で形成されるリング体（２、３、４）が取り付けられ、そのリング体（２、３、４）は海藻の胞子が付着されており、人工の海藻（Ａ）の複数を下端部で結束する結束体（６）と、その結束体と海底に設置されたアンカー部材（２５）を柔軟に連結する連結部材（１３）、とを備えている」人工の海藻・微生物付着基盤が開示されている。
この海藻・微生物付着基盤は、海藻の胞子を付着させたリング体を取り付けた可撓性管状体をアンカーに柔軟に連結して海中で揺動するようにされてはいるが、海藻が生育するまでは十分な効果が期待できないといううらみがある。
【０００４】
そして特開２００１−１４５４３３号公報には「海水中に設置して沿岸藻場に産卵する魚類の産卵を促す人工海草による人工海草装置（１）において、前記人工海草（２）の下端部を保持する保持部材（３）と、保持部材（３）を２つ折りした屈曲部（６）で挟持して結束具（７）で結束された柱状幹体（５）と、柱状幹体（５）に適宜の間隔をおいて枝状に取付けられた細長い第１の枝状体（８）と、その第１の枝状体（８）によって柱状幹体（５）に取り付けられた細長い第２の枝状体（９）とからなる人工海草（２）とで構成されている」人工海草装置が開示されている。
この人工海藻装置は、魚類の産卵場所を与えようとするものであるが、請求項２に記載された葉状体に天然海草・海藻の胞子が付着し育成されるとしている。しかし、この人工海藻装置を多数密接して配置しても、天然海草・海藻の生育するまでは天然藻場のような多用な機能は発揮できない問題が残る。
【先行技術文献】
【特許文献】
【０００５】
【特許文献１】特開２００３−２６５０６４号公報
【特許文献２】特開２００２−３１５４５８号公報
【特許文献３】特開２００１−１４５４３３号公報
【発明の概要】
【発明が解決しようとする課題】
【０００６】
本発明は、上記背景技術に鑑み、自分の浮力でゆらゆらと漂う人工海藻を用いて、簡単な装置で、海底地盤上に人工藻場を造成することのできる人工藻場育成装置を提供し、それらを用いて天然藻場に近い環境を形成し、魚類の生息場所を確保するとともに、天然藻場への回復を促す人工藻場を実現しようとするものである。
【課題を解決するための手段】
【０００７】
本発明者らは上記課題を下記手段により解決した。
（１）沿岸海域に人工藻場を造成して天然藻場を回復するための人工藻場育成装置であって、該人工藻場育成装置を海底地盤上に固定するアンカー杭と、同アンカー杭の上端部に装着され人工海藻を取り付ける腕部を有する人工海藻取付部と、人工海藻取付部に取り付けられた複数の人工海藻とからなることを特徴とする人工藻場育成装置。
（２）前記人工海藻取付部が、人工海藻を取り付ける樹脂製の棒状体の腕部と、同腕部の中央部に前記アンカー杭を装着するための樹脂パイプ製のアンカー杭装着部が一体化されて設けられ、Ｔ字形状に形成されてなることを特徴とする前項（１）に記載の人工藻場育成装置。
（３）前記人工海藻装着部が、樹脂製の第１棒状体の両端に樹脂製の第２の棒状体を直交させてＨ字形に形成された腕部と、前記第１の棒状体の中央部に前記アンカー杭を装着する樹脂パイプ製のアンカー杭装着部が一体化されて設けられてなることを特徴とする前項（１）に記載の人工藻場育成装置。
（４）前記人工海藻装着部が、その腕部の上面に、人工海藻を着脱自在に取り付られる複数のアイボルトを、また前記アンカー杭装着部のパイプ内壁に前記アンカー杭を螺着するための雌ねじ設けてなることを特徴とする前項（１）〜３（の）いずれか１項に記載の人工藻場育成装置。
（５）前記アンカー杭が、１６００ｍｍ〜２２００ｍｍの異形鉄筋でなり、上端から５０ｍｍ〜８０ｍｍの範囲に前記人工海藻取付部を螺着する雄ねじが設けられてなることを特徴とする前項（１）〜（４）のいずれか１項に記載の人工藻場育成装置。
（６）  前記人工海藻（４）が、その形状が細長い帯状体であり、その素材が比重が海水と同じか又は小さいプラスチックシート、布、メッシュ材、あるいは縄で構成され、海中において素材の浮力で自立するものであることを特徴とする前項（１）〜（５）のいずれか１項に記載の人工藻場育成装置。
（７）前項（１）〜（６）に記載の人工藻場育成装置の多数個を海底地盤上に固定して造成してなることを特徴とする人工藻場。
【発明の効果】
【０００８】
本発明の人工藻場育成装置及び同装置を用いた人工藻場によって、下記の効果が発揮できる。
〈１〉沿岸海域に人工藻場を造成して天然藻場を回復するための人工藻場育成装置が、同装置を海底地盤上に固定するアンカー杭と、同アンカー杭の上端部に装着され人工海藻を取り付ける腕部を有する人工海藻取付部と、人工海藻取付部に取り付けられた複数の人工海藻とからなるので、装置としての構成要素が少なく容易に量産でき、広範な人工藻場造成にも容易に対応できる。
【０００９】
〈２〉前記人工海藻取付部が、人工海藻を取り付ける樹脂製の棒状体の腕部と、同腕部の中央部に前記アンカー杭を装着するための樹脂パイプ製のアンカー杭装着部が一体化されて設けられ、Ｔ字形状に形成され、かつ、その腕部の上面に人工海藻を取り付ける複数のアイボルトを、また前記アンカー杭装着部のパイプ内壁に前記アンカー杭を螺着するための雌ねじを設けているので、人工海藻取付部への人工海藻の取り付けがアイボルトへの人工海藻の係着により、また人工海藻取付部とアンカー杭との装着が螺着ででき、人工海藻育成装置が容易に組み立てられることから、作業性に富み、人工藻場造成時における工期短縮が期待できる。
【００１０】
〈３〉前記人工海藻装着部が、樹脂製の第１棒状体の両端に樹脂製の第２の棒状体を直交させてＨ字形に形成された腕部と、前記第１の棒状体の中央部に前記アンカー杭を装着する樹脂パイプ製のアンカー杭装着部が一体化されて設けられ、かつ、腕部の上面に人工海藻を着脱自在に取り付られる複数のアイボルトを、また前記アンカー杭装着部のパイプ内壁に前記アンカー杭を螺着するための雌ねじを設けているので、人工海藻取付部への人工海藻の取り付けがアイボルトへの人工海藻の係着により、また人工海藻取付部とアンカー杭との装着が螺着ででき、人工海藻育成装置が容易に組み立てられることに加えて、腕部をＨ字形にしたことから、１個の人工海草育成装置により多くの人工海草が取り付けられ、少ない数の人工海藻育成装置によって広い人工藻場が造成でき、人工藻場の造成費用と造成時における工期短縮が期待できる。
【００１１】
〈４〉前記アンカー杭が、１６００ｍｍ〜２２００ｍｍの異形鉄筋でなるので、海底地盤に前記アンカー杭の下部を挿入・固定することによって人工藻場育成装置が容易、確実に固定でき、また該アンカー杭の上端から５０ｍｍ〜８０ｍｍの範囲に設けられた雄ねじに前記人工海藻取付部の樹脂製のアンカー杭装着部を螺着するので、前記異形鉄筋のアンカー杭の上部は樹脂製のアンカー杭装着部で被覆され海水による腐食が防止でき、長期間の使用に耐え、天然海草の着床、繁茂に寄与できる。
さらに、海底地盤の凹凸に対応して、前記アンカー杭の下部を切断して海底地盤に挿入・固定することも可能で、造成する場所に適した人工藻場を造成することができる。
【００１２】
〈５〉前記人工海藻が、その形状が細長い帯状体であり、その素材が比重が海水と同じか又は小さいプラスチックシート、布、メッシュ材、あるいは縄で構成され、海中において素材の浮力で自立するものであるので、人工海草に別途浮遊体を装着する必要がなく、海水の動きによって揺らぐので、魚の稚魚が集まりやすく、天然海草の胞子の着床、繁茂も期待できる。
また、前記人工海藻がアイボルトに着脱自在に取り付けられているので、アンカー杭が腐食して使用不能となった場合でも、腐食したアンカー杭と人工海藻装着部とを新しいものに交換してこれまで使用してきた人工海藻を取り付ければよく、前記人工海藻に生み付けられた魚の卵や付着して発芽した天然海藻を引き続いて育成でき、豊かな漁場と天然藻場への回復を継続していくことができる。
【００１３】
〈６〉前項（１）〜（５）に記載の人工藻場育成装置を海底地盤上に多数個固定林立させて人工藻場を造成するので、多数の魚が集まる豊かな漁場としての人工海草の藻場が造成でき、またこの人工藻場に天然海草の胞子が着床、繁茂して豊かな海への回帰も期待される。
【図面の簡単な説明】
【００１４】
【図１】本発明の人工藻場育成装置の実施例の構成図
【図２】本発明の人工藻場育成装置の他の実施例の斜視図
【図３】本発明の人工藻場の構成斜視図
【発明を実施するための形態】
【００１５】
本発明の人工藻場育成装置及びこれらを用いた人工藻場の実施の形態を実施図に基づいて説明する。
図１は本発明の人工藻場育成装置基本的実施例の構成図、図２は本発明の人工藻場育成装置の他の実施例の斜視図、図３は本発明の人工藻場の構成斜視図である。
図において１は人工藻場育成装置、２はアンカー杭、３は人工海藻装着部、３ａは腕部、３ａ’はＨ字形腕部、３ｂはアンカー杭装着部、４は人工海藻、５はアイボルトを示す。
【実施例１】
【００１６】
本発明の人工藻場育成装置１は、、該人工藻場育成装置１を海底地盤上に固定するアンカー杭２と、同アンカー杭２の上端部に装着された人工海藻取付部３と、人工海藻取付部３に取り付けられた複数の人工海藻４とで構成される。
図１に示す実施例（第１の実施例）では、前記人工海藻取付部３が、人工海藻４を取り付ける樹脂製の棒状体の腕部３ａと、同腕部３ａの中央部に前記アンカー杭２に装着するための樹脂製パイプのアンカー杭装着部３ｂが一体化されてＴ字状に形成され、その腕部３ａの上面には前記人工海藻４を着脱自在に取り付けるために複数のアイボルト５が設けられ、また、前記アンカー杭装着部３ｂのパイプ内壁には前記アンカー杭２に螺着する雌ねじが刻まれている。
前記アンカー杭１は、１６００ｍｍ〜２２００ｍｍの異形鉄筋でなり、上端から５０ｍｍ〜８０ｍｍの範囲に前記人工海藻取付部３を螺着する雄ねじが設けられている。この雄ねじに前記人工海藻取付部３を螺着すると、前記人工海藻取付部３のアンカー杭装着部３ｂの樹脂パイプで異形鉄筋の雄ねじ部分が被覆され、海水に直接触れなくなるので、この部分の防錆が図られ、長期間の使用が可能になる。
防錆を図る目的で異形鉄筋に樹脂コーティングを施しておくことも好ましい。
本発明の人工藻場育成装置１に使用する前記人工海藻４は、その形状が細長い帯状体であり、その素材が比重が海水と同じか又は小さいプラスチックシート、布、メッシュ材、あるいは縄で構成され、海中において素材の浮力で自立するものであり、前記人工藻場育成装置１を海底地盤上に設置すれば、人工海藻取付部３の腕部３ａに取り付けられた人工海藻４は天然海藻同様に潮の流れや波によって揺れ動くことになり魚が集まりやすく、産卵、孵化、稚魚の成育に適した環境とすることができる。また、人工海藻４には天然海藻の胞子が着床しやすく、発芽、生長が期待でき、天然藻場の藻場への回帰も十分想到できる。
【実施例２】
【００１７】
図２に示す本発明の第２の実施例としての人工藻場育成装置１’は、前記第１の実施例の人工藻場育成装置１とは、その人工海藻取付部の形状を異にし、他の部分の形状機能は第１実施例と同一となっている。
すなわち、第２の実施例の人工藻場育成装置１’は、樹脂製の第１棒状体の両端に樹脂製の第２の棒状体を直交させてＨ字形に形成された腕部３ａ’と、前記第１の棒状体の中央部に前記アンカー杭２を装着する樹脂製パイプのアンカー杭装着部３ｂが一体化されており、そのＨ字形の腕部３ａ’の第１、第２の両棒状体の上面に人工海藻を着脱自在に取り付ける複数のアイボルト５を設けて一本のアンカー杭２に、より多くの人工海藻４が取り付けられるようにしたものである。これにより単位面積当たりのアンカー杭２の設置本数が減少でき、人工藻場造成のための海中作業が減少でき、作業者の負担の減少が図れ、ひいては人工藻場造成工期の短縮、造成経費の軽減が図れる。
なお、前記アンカー杭装着部３ｂのパイプ内壁に前記アンカー杭２を螺着するための雌ねじが設けられているのは第１の実施例と同様である。
本実施例では人工海藻取付部３の腕部３ａ’をＨ字形としたが、これに限られるものではなく、例えば放射線状や同心円状に形成されたものであってもよい。
【００１８】
次いで本発明の人工藻場育成装置を用いた人工藻場について説明する。
前記第１の実施例に示した人工藻場育成装置１を用いた藻場にあっては、図３に示すように１ｍ平方の正方形の各隅と中心の５か所にそれぞれ１個、合計５個を配置するのを標準としており、この標準配設によれば１０ｍ平方の海底地盤上に３１１個の人工藻場育成装置１が配設されることになる。
また本発明の人工藻場育成装置１は、人工魚礁との併合設置も好ましい。人工魚礁の設置により甲殻類や貝類の良好な育成場所となり、豊かな海の回帰が促進される。
本発明の人工藻場育成装置によって人工藻場を形成しようとする海底地盤としては、その目的から、流入土砂の堆積によって損なわれた場所や砂地など、そのままでは海藻の繁茂が期待できない場所が主に選択されるが、岩礁の多い海底地盤でも岩の間にアンカー杭２を差し込んで固定するなどすれば、人工藻場を形成することができる。
【符号の説明】
【００１９】
１、１’：人工藻場育成装置
２：アンカー杭
３：人工海藻装取付部
３ａ、３ａ’：腕部
３ｂ：アンカー杭装着部
４：人工海藻
５：アイボルト
【図１】
2011135828.tif 000003
【図２】
2011135828.tif 000004
【図３】
2011135828.tif 000005